(57)【特許請求の範囲】
【請求項１】
ボルト挿通部（６）が設けられた取付け板（２）と、取付け板（２）の上部が延長されて形成されているボルト挿通部の無い突出片（５）と、突出片（５）の両側縁にまでは連続しないように取付け板（２）の両側縁が後方へ折り曲げられて形成されたリブ片（３）と、このリブ片（３）がさらに下方に垂下して形成されている垂下リブ片（４）とから構成されており、垂下リブ片（４）の側面（８）は取付け板（２）の表面よりも取付け板（２）の厚み分だけ後方へ段差を有し且つ前方に露出していることを特徴とするＡＬＣパネル用取付金具。
【請求項２】
ＡＬＣパネル（Ｐ）をＬ字型アングル（１１）の起立板（１２）に取付金具（１）を用いて取付けるＡＬＣパネルの取付け構造において、
ボルト挿通部（６）が設けられた取付け板（２）と、取付け板（２）の上部が延長されて形成されているボルト挿通部の無い突出片（５）と、突出片（５）の両側縁にまでは連続しないように取付け板（２）の両側縁が後方へ折り曲げられて形成されたリブ片（３）と、リブ片（３）がさらに下方に垂下して形成されている垂下リブ片（４）とを含む取付金具（１）を用い、
取付け板（２）の厚みをＬ字型アングル（１１）の起立板（１２）の厚みとほぼ同一に成し、
垂下リブ片（４）の側面（８）は、取付け板（２）の表面よりも取付け板（２）の厚み分だけ後方へ段差を有するようにし、
この段差を有する垂下リブ片（４）の側面（８）を起立板（１２）に係合させて溶接固定し、
ほぼ同一面となった取付け板（２）の表面と突出片（５）の表面と起立板（１２）の表面とにＡＬＣパネル（Ｐ）を当て、
取付け板（２）のボルト挿通部（６）からボルト（９）を挿入してＡＬＣパネル（Ｐ）に取り付けてなることを特徴とするＡＬＣパネルの取付構造。
【発明の詳細な説明】
【０００１】
【発明の属する技術分野】
本発明は、ＡＬＣパネルを十分な取付け強度を持って取り付けることができ、かつ取付け金具がそのパネル表面内に減り込むことのないＡＬＣパネル用取付金具（以下、取付金具という）及びその取付構造に関する。
【０００２】
【従来の技術】
ＡＬＣパネルＰが建築物の外壁等に取付けられる際は、通常図４に示すように、梁１０に溶接固定されたＬ字型アングル１１に取付け金具とボルトと等を介して取付けられる。その際に用いられる取付け金具の構造は、これまでも種々提案されているが、その代表的な例として図３および図４に示すような形状のイナズマプレート１３があり、構造が簡単で適用範囲も広いため、いろいろな部位に適用されている。
【０００３】
【発明が解決しようとする課題】
しかし、従来のイナズマプレート１３は、その中間位置で少し折り曲げられた板状の形であるため、大きな耐力を負担させることができないという問題があった。その問題を解決するためにイナズマプレート１３の取付け個数を増やしたり、大きくしたり、さらに厚さを厚くしたりすることも考えられるが、形状が板状であるため限界があり、またコスト，重さ，加工性，取付け作業面等からも望ましくない。
さらに、取付け部位がＡＬＣパネルＰ下部のような位置においては、そのイナズマプレート１３の上部にＡＬＣパネルＰ表面が強く当たるようになるが、ＡＬＣパネルＰ表面は強度が小さくて脆いため、イナズマプレート１３の上部がＡＬＣパネル表面に減り込んでしまうという問題もあった。
【０００４】
したがって、本発明の目的は以上の従来の問題点をなくし、ＡＬＣパネルを取り付ける際、大きな耐力をかけることができ、またその上部がパネル表面内に減り込んだりすることのない取付金具及び取付構造を提供することにある。
【０００５】
【課題を解決するための手段】
以上のような課題を解決するために、本発明の取付金具は、ボルト挿通部（６）が設けられた取付け板２と、取付け板（２）の上部が延長されて形成されているボルト挿通部の無い突出片５と、突出片（５）の両側縁にまでは連続しないように取付け板２の両側縁が後方へ折り曲げられて形成されたリブ片３と、そのリブ片３がさらに下方に垂下して形成されている垂下リブ片４とから構成されており、垂下リブ片（４）の側面（８）は取付け板（２）の表面よりも取付け板（２）の厚み分だけ後方へ段差を有し且つ前方に露出している構成とした。
また、本発明の取付構造は、ＡＬＣパネル（Ｐ）をＬ字型アングル（１１）の起立板（１２）に取付金具（１）を用いて取付けるＡＬＣパネルの取付け構造において、ボルト挿通部（６）が設けられた取付け板（２）と、取付け板（２）の上部が延長されて形成されているボルト挿通部の無い突出片（５）と、突出片（５）の両側縁にまでは連続しないように取付け板（２）の両側縁が後方へ折り曲げられて形成されたリブ片（３）と、リブ片（３）がさらに下方に垂下して形成されている垂下リブ片（４）とを含む取付金具（１）を用い、取付け板（２）の厚みをＬ字型アングル（１１）の起立板（１２）の厚みとほぼ同一に成し、垂下リブ片（４）の側面（８）は、取付け板（２）の表面よりも取付け板（２）の厚み分だけ後方へ段差を有するようにし、この段差を有する垂下リブ片（４）の側面（８）を起立板（１２）に係合させて溶接固定し、ほぼ同一面となった取付け板（２）の表面と突出片（５）の表面と起立板（１２）の表面とにＡＬＣパネル（Ｐ）を当て、取付け板（２）のボルト挿通部（６）からボルト（９）を挿入してＡＬＣパネル（Ｐ）に取り付けてなることを特徴とする。
【０００６】
本発明に係る取付金具は次のように作用する。すなわち、取付け板の両側縁が折り曲げられてリブ片が形成されているとともに、そのリブ片がさらに下方に延長した垂下リブ片が形成されているため、これらの両方のリブ片によって取付け金具の耐力が大幅に向上する。また、取付け板の上方に形成された突出片が、ＡＬＣパネルＰの押圧力に対する耐力（受ける力）を向上させ、取付け板の上部がＡＬＣパネルＰ内に減り込むのを防止するようになる。
【０００７】
【発明の実施の形態】
以下、本発明の実施の形態を図を参照して説明する。
図１において、取付け金具１の中央部の取付け板２は、ＡＬＣパネルＰ面に当接し支持する部材である。
取付け板２の両側縁には、それが折り曲げられてリブ片３が形成されている。このリブ片３によって取付金具１のＡＬＣパネルＰの押圧力に対する耐力が向上するようになる。また、そのリブ片３は取付け板２の下端よりもさらに下方に垂下して垂下リブ片４が形成されており、この垂下リブ片４の存在が取付金具１の耐力をよりいっそう向上させるようになる。なお、そのリブ片３および垂下リブ片４の幅は１０ｍｍ〜５０ｍｍであることが耐力向上の面で望ましい。また、図１のように、リブ片３の上部が下方に傾斜していると、ＡＬＣパネルＰの取り付けの際に、他の取付け部材の障害とならないため、パネルＰの施工面でより都合が良くなる。
【０００８】
さらに、取付け板２の上部には、それが延長されて突出片５が形成されている。この突出片５は、取付け板２と違って両側縁にリブ片３が設けられておらず板状体となっており、その形状としては正方形や矩形等が望ましい。また、この突出片５の高さは３０〜１００ｍｍの範囲とすることが望ましい。すなわち、３０ｍｍ以上であると、取付け板２がＡＬＣパネルＰの大きな押圧力によって曲がったり、取付け板２の上部がパネルＰ内に減り込んだりすることをより確実に防止できる。一方、１００ｍｍより高くしても取付金具１全体が重くなるのみで、耐力向上の増大があまり期待できない。
【０００９】
また、取付け板２の下方部にはボルト挿通部６が開けられている。その形状としては逆Ｕ字形等の長溝型も適用できるが、図１のごとく縦型長孔型が高さ位置調整の面で最も望ましい。
なお、取付け板２のリブ片３上端位置（取付け板２と突出片５との境界の両端部）に切欠き部７が設けられていることが望ましい。その理由は、この切欠き部７を設けないと取付け板２を折り曲げてリブ片３を形成させる際、その部分に無理なひずみがかかってひび等が生じ、取付け板２の突出片５の強度が低下する一因ともなるためである。
【００１０】
本発明に係る取付金具１をＡＬＣパネルＰの取付け構造に適用する際は、図２に示すように、従来のイナズマプレート１３と同様に建物驅体に取り付けられているＬ字型アングル１１の起立板１２に固定する。その際、先ず取付金具１の垂下リブ片４の側面８を起立板１２に溶接固定する。次に、取付金具１のボルト挿通部６からボルト９を挿入してＡＬＣパネルＰに取り付ける。
【００１１】
なお、取付け板２のリブ片３および垂下リブ片４は折り曲げられて形成されているため、図１に示すように、垂下リブ片４の側面８は、取付け板２の表面よりもその板の厚み分だけ段差を有している。従って、本発明の取付金具１においては、取付け板２の厚みをＬ字型アングル１１の起立板１２の厚みとほぼ同一に成し、その起立板１２に取付金具１の段差部を係合させてその部分を溶接固定すれば、取付け板２の表面と起立板１２の表面とがほぼ同一面となる。その結果、その面にＡＬＣパネルＰを当てた際に段差や隙間等が生ずることがなくなる。本発明に係る取付金具１の適用位置は、上記の位置に限定されず、従来のイナズマプレート１３が適用可能な位置にはほとんど適用できる。
【００１２】
【発明の効果】
本発明に係る取付金具及び取付構造によれば、取付け板にリブ片とそれが下方に延長した垂下リブ片とによって、取付け金具の耐力が大幅に向上する。また、取付け板の上方に突出片が形成されているため、パネルの押圧力に対する耐力を向上させ、取付け金具の上部がパネル内に減り込むという問題も解消され、ＡＬＣパネルの取付け強度が向上するようになる。
【図面の簡単な説明】
【図１】本発明のＡＬＣパネル用取付金具の一実施例の斜視図。
【図２】本発明のＡＬＣパネル用取付金具の適用例を示す縦断面図。
【図３】従来のＡＬＣパネル用取付金具の一実施例であるイナズマプレートの斜視図。
【図４】図３のイナズマプレートをＡＬＣパネル壁取付け構造に取付けた一実施例の縦断面図。
【符号の説明】
Ｐ・・・ＡＬＣパネル
１・・・ＡＬＣパネル用取付金具
２・・・取付け板
３・・・リブ片
４・・・垂下リブ片
５・・・突出片
６・・・ボルト挿通部
７・・・切欠き部
８・・・垂下リブ片の側面
９・・・ボルト
【図１】
0003619309.tif 000002
【図３】
0003619309.tif 000003
【図２】
0003619309.tif 000004
【図４】
0003619309.tif 000005